(57)【要約】【課題】本発明は、接着等の固定時にも光源を十分支持して光源の位置ずれを防止することができる光源の保持機構を提供する。【解決手段】本発明の光源の保持機構は、略球状のホルダ１０２を球面軸受１０４によって回動自在に支持し、ホルダ１０２をホルダ１０２の中心で回転させることにより、ＬＥＤランプ１００の位置を様々な方向に傾けて調整することができる。そして、位置決め後には、ボス１１８〜１２８の先端とホルダ１０２の外周球面との境界部に接着剤を塗布してホルダ１０２を球面軸受１０４に固定する。この接着剤の固化前において、ホルダ１０２は、ホルダ１０２と球面軸受１０４との間の摩擦力によりその位置決め位置で保持されるので、ＬＥＤランプ１００の位置ずれを防止することができる。【選択図】      図５
2007249058.tif 000002
【特許請求の範囲】
【請求項１】
光源が球状のホルダ内に保持され、該ホルダが球面軸受によりホルダの中心を回転中心として回転自在に支持されるとともに位置決め後に接着剤にて球面軸受に固定されることを特徴とする光源の保持機構。
【請求項２】
前記光源から照射される光が、前記ホルダによってけられないように、光源がホルダから所定量突出されていることを特徴とする請求項１に記載の光源の保持機構。
【請求項３】
前記ホルダには、ホルダを前記球面軸受に対して回動させるための操作部材が設けられていることを特徴とする請求項１又は２に記載の光源の保持機構。
【請求項４】
前記球面軸受は、前記ホルダの外周面を片側で３点支持する軸受部を一対備えていることを特徴とする請求項１、２又は３のうちいずれか一つに記載の光源の保持機構。
【請求項５】
前記光源は、カメラの投光用光源であることを特徴とする請求項１、２、３又は４のうちいずれか一つに記載の光源の保持機構。
【発明の詳細な説明】
【技術分野】
【０００１】
本発明は光源の保持機構に係り、特にカメラのオートフォーカス補助光の光源をカメラ本体側に位置決めするための光源の保持機構に関する。
【背景技術】
【０００２】
カメラのオートフォーカス補助光は、被写体輝度が低くオートフォーカスできない場合、補助光を用いて被写体に投光し被写体輝度を上げ、オートフォーカスさせ易くするための照明光である。このオートフォーカス補助光の光源は、所定の位置での被写体輝度が必要となるため、カメラの生産工程において、光源の光軸方向位置、倒れ位置、及び回転位置がそれぞれ調整された後、カメラ本体側に接着剤にて固定されている。
【０００３】
特許文献１に開示された光源の保持機構は、光源を保持する保持部材に長孔を形成し、この長孔に対して光源を抜き差しすることにより光源の光軸方向位置を調整するとともに、長孔に対して光源を傾けたり回転させたりすることによって、光源の倒れ調整、回転調整を行い、この後、光源と長孔との間の隙間に接着剤を塗布することによって光源を保持部材に固定している。
【特許文献１】特開２００３−２２８１０１号公報
【発明の開示】
【発明が解決しようとする課題】
【０００４】
しかしながら、特許文献１の光源の保持機構は、位置調整された光源を保持部材に対して保持する手段が何もないため、接着剤の固化前に、光源の自重や光源に伝わった振動等によって光源の位置が位置決め位置からずれるという欠点があった。また、特許文献１の光源の保持機構は、光源の倒れ方向が長孔に沿った一方向のみなので、調整域が狭いという欠点もあった。
【０００５】
本発明は、このような事情に鑑みてなされたもので、接着等の固定時にも光源を十分に支持して光源の位置ずれを防止することができる光源の保持機構を提供することを目的とする。
【課題を解決するための手段】
【０００６】
請求項１に記載の発明は、前記目的を達成するために、光源が球状のホルダ内に保持され、該ホルダが球面軸受によって回動自在に支持されるとともに位置決めされた後に接着剤にて球面軸受に固定されることを特徴とする。
【０００７】
請求項１に記載の発明によれば、球状のホルダを球面軸受によって回動自在に支持し、ホルダをホルダの中心で回転させることにより、光源の位置を様々な方向に傾けて調整することができる。また、接着剤の固化前ではホルダと球面軸受との間の摩擦力によりホルダがその位置決め位置で保持されるので、光源の位置ずれを防止することができる。
【０００８】
更に、ホルダは、位置決め調整において外周面の必要な範囲は球状であるが、調整に不要な範囲はＤカット等を行うことによって削除する。これにより、ホルダを小型化できる。また、ホルダを成形する金型のコア側とキャビ側の球の半径を異なる値とすることにより、金型の調整を容易に変更することができる。また、金型のコア側とキャビ側の球の半径の中心を略同一としておくことにより、同じ中心を回転中心としてホルダが回転する。
【０００９】
請求項２に記載の発明は、請求項１において、前記光源から照射される光が、前記ホルダによってけられないように、光源がホルダから所定量突出されていることを特徴とする。
【００１０】
請求項２に記載の発明によれば、ホルダによる光線のけられがなくなり、光損失を無くして広い範囲を照射できる。また、ホルダの光源を保持する内周面と、ホルダの外周面との縁部に面取りを施すことによっても同様な効果を得ることができる。更に、前記面取りした部分にアルミ蒸着等を施し反射傘を形成することにより、光源の光を所定の位置に集光させることができる。
【００１１】
請求項３に記載の発明は、請求項１又は２において、前記ホルダには、ホルダを前記球面軸受に対して回動させるための操作部材が設けられていることを特徴とする。
【００１２】
請求項３に記載の発明によれば、ホルダに一体的に設けられた操作部材を把持して動かすことにより、ホルダを最適な位置に調整する。これにより、特別な治工具を用いることなく光源の位置を調整できる。
【００１３】
請求項４に記載の発明は、請求項１、２又は３において、前記球面軸受は、前記ホルダの外周面を片側で３点支持する軸受部を一対備えていることを特徴とする。
【００１４】
請求項４に記載の発明によれば、ホルダを挟んで配置した一対の軸受部は、それぞれ３本のボスから構成され、片側３本のボス（両側６本のボス）によってホルダを回転自在に支持したので、ホルダを安定して支持することができる。
【００１５】
請求項５に記載の発明は、請求項１、２、３又は４において、前記光源は、カメラの投光用光源であることを特徴とする。
【００１６】
請求項５に記載の発明によれば、カメラの投光用光源であるオートフォーカス補助光に適用したので、オートフォーカス補助光の光源の位置ずれを防止することができる。
【発明の効果】
【００１７】
本発明に係る光源の保持機構によれば、球状のホルダを球面軸受によって回動自在に支持し、ホルダをホルダの中心で回転させることにより、光源の位置を様々な方向に傾けて調整することができる。また、接着剤の固化前ではホルダと球面軸受との間の摩擦力によりホルダがその位置決め位置で保持されるので、光源の位置ずれを防止することができる。
【発明を実施するための最良の形態】
【００１８】
以下、添付図面に従って本発明に係る光源の保持機構の好ましい実施の形態について説明する。
【００１９】
図１、図２は、実施の形態の光源の保持機構が適用されたデジタルカメラ１０の正面斜視図と背面斜視図である。このデジタルカメラ１０のカメラ本体１２の正面には、図１に示すように、撮影レンズ鏡胴１４、ファインダ窓１６、ストロボ１８がそれぞれ所定の位置に設けられるとともに、本発明の光源の保持機構が適用されたＡＦ補助光の発光部１９が撮影レンズ鏡胴１４の斜め上方位置に設けられている。また、カメラ本体１２の上面には、撮影ボタン２０、電源／モードスイッチ２２、モードダイヤル２４、手ぶれ補正機能切替スイッチ２６等が設けられており、背面には、図２に示すように、ファインダ接眼部２８、液晶モニタ３０、ズームボタン３２、十字キー３４、ＭＥＮＵ／ＯＫボタン３６、ＤＩＳＰボタン３８、ＢＡＣＫボタン４０等がそれぞれ所定の位置に設けられている。
【００２０】
撮影ボタン２０は、いわゆる「半押し（Ｓ１）」と「全押し（Ｓ２）」とからなる２段ストローク式のスイッチで構成されており、この撮影ボタン２０が半押しされると、デジタルカメラ１０は、ＡＥ（Automatic Exposure：自動露出）、ＡＷＢ（Automatic White Balance ：自動ホワイトバランス）が機能するとともに、発光部１９から被写体に向けてＡＦ補助光が照射されてＡＦ（Auto Focus：自動合焦）が機能し、全押しすることにより画像の記録が行われる。
【００２１】
電源／モードスイッチ２２は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２２を「再生位置」又は「撮影位置」に合わせることにより、電源がＯＮになり、「ＯＦＦ位置」に合わせることにより、電源がＯＦＦになる。そして、電源／モードスイッチ２２を「再生位置」に合わせることにより「再生モード」に設定され、「撮影位置」に合わせることにより「撮影モード」に設定される。
【００２２】
モードダイヤル２４は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００２３】
手ぶれ補正機能切替スイッチ２６は、デジタルカメラ１０に備えられた像ぶれ防止装置の機能切替スイッチとして機能し、鉛直方向及び水平方向のぶれを補正する「手ぶれ補正ＯＮ位置」、「手ぶれ補正ＯＦＦ位置」、及び鉛直方向のぶれのみを補正する「手ぶれ補正チルト」の間をスライド自在に設けられている。デジタルカメラ１０は、この手ぶれ補正機能切替スイッチ２６を「手ぶれ補正ＯＮ位置」、又は「手ぶれ補正チルト」に合わせられることにより、手ぶれ補正機能がＯＮされ、「手ぶれ補正ＯＦＦ位置」に合わせられることにより、手ぶれ補正機能がＯＦＦされる。
【００２４】
液晶モニタ３０は、カラー表示が可能な液晶ディスプレイで構成されている。この液晶モニタ３０は、再生モード時に撮影済み画像を表示するための表示パネルとして利用されるとともに、各種設定時にユーザインターフェースの表示パネルとして利用される。また、撮影時には必要に応じてスルー画像が表示され、画角確認用の電子ファインダとして利用される。
【００２５】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２６】
十字キー３４は、上下左右４方向に押圧操作可能に構成され、各方向の各キーは、カメラの状態に応じて割り当てられる機能が変化する。たとえば、通常の撮影モード時には、右キーがマクロ機能のＯＮ／ＯＦＦを切り替えるスイッチとして機能し、左キーがストロボの機能（オート／赤目軽減／スローシンクロ／発光禁止）を切り替えるスイッチとして機能する。また、後述するように、フレーミング調整時には、上キーが撮影領域の上方向への移動、下キーが撮影領域の下方向への移動、右キーが撮影領域の右方向への移動、左キーが撮影領域の左方向への移動指示を入力するキーとして機能する。また、再生時には右キーが順コマ送りボタンとして機能し、左キーが逆コマ送りボタンとして機能する。
【００２７】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００２８】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００２９】
次に、図３のブロック図を説明する。
【００３０】
このデジタルカメラ１０は、ＣＰＵ５０によってその全体動作が統括制御されている。 ＣＰＵ５０は、所定のプログラムに従ってカメラシステムを制御するシステム制御回路部として機能するとともに、自動露出（ＡＥ）演算、自動焦点調節（ＡＦ）演算、ホワイトバランス（ＷＢ）調整演算など、各種演算を実施する演算手段として機能する。
【００３１】
バス５２を介してＣＰＵ５０と接続されたＲＯＭ５４には、ＣＰＵ５０が実行するプログラム及び制御に必要な各種データ等が格納され、ＥＥＰＲＯＭ５６には、ＣＣＤ画素欠陥情報、カメラ動作に関する各種定数／情報等が格納されている。
【００３２】
また、メモリ（ＳＤＲＡＭ）５８は、プログラムの展開領域及びＣＰＵ５０の演算作業用領域として利用されるとともに、画像データや音声データの一時記憶領域として利用される。記録部（ＨＤＤ）６０は画像データ専用の一時記憶メモリであって、デジタルカメラ１０の十字キー３４の操作によって消去可能である。
【００３３】
撮影ボタン２０は、撮影開始の指示を入力する操作ボタンであり、半押し時にオンになるＳ１スイッチと、全押し時にオンになるＳ２スイッチとを有する二段ストローク式のスイッチで構成されている。
【００３４】
このデジタルカメラ１０は、メディアソケット６２を有し、メディアソケット６２には記録メディア６４が装着される。記録メディア６４の形態は特に限定されず、ｘＤ−ピクチャーカード、スマートメディア（登録商標）に代表される半導体メモリカード、可搬型小型ハードディスク、磁気ディスク、光ディスク、光磁気ディスクなど、種々の媒体を用いることができる。
【００３５】
メディアコントローラ６６は、メディアソケット６２に装着される記録メディア６４に適した入出力信号の受渡しを行うために所要の信号変換を行う。
【００３６】
また、デジタルカメラ１０は、パソコンその他の外部機器と接続するための通信手段としてＵＳＢインターフェース部６８を備えている。このＵＳＢインターフェース部６８に接続された、通信端子であるコネクタに、不図示のＵＳＢケーブルを介して外部機器を接続することにより、外部機器との間で画像データ等のデータの受渡しが可能となる。もちろん、通信方式はＵＳＢに限らず、その他の通信方式を適用してもよい。
【００３７】
次に、デジタルカメラ１０の撮影機能について説明する。
【００３８】
撮影レンズ鏡胴１４は、撮影レンズ７０と絞り兼用メカシャッター７２とが内蔵された光学ユニットである。撮影レンズ７０及び絞り兼用メカシャッター７２は、ＣＰＵ５０によって制御されるレンズ駆動部７４、絞り駆動部７６によって電動駆動され、ズーム制御、フォーカス制御及びアイリス制御が行われる。
【００３９】
撮影レンズ７０を通過した光は、ＣＣＤ７８の受光面に結像される。ＣＣＤ７８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ７８は、各フォトダイオードの電荷蓄積時間（シャッタースピード）を制御する電子シャッター機能を有している。ＣＰＵ５０は、タイミングジェネレータ８０を介してＣＣＤ７８での電荷蓄積時間を制御する。なお、ＣＣＤ７８に代えてＭＯＳ型など他の方式の撮像素子を用いてもよい。
【００４０】
ＣＣＤ７８の受光面に結像された被写体像は、各フォトダイオードによって入射光量に応じた量の信号電荷に変換される。各フォトダイオードに蓄積された信号電荷は、ＣＰＵ５０の指令に従いタイミングジェネレータ８０から与えられる駆動パルスに基づいて信号電荷に応じた電圧信号（画像信号）として順次読み出される。
【００４１】
ＣＣＤ７８から出力された信号はアナログ処理部（ＣＤＳ／ＡＭＰ）８２に送られ、ここで画素毎のＲ、Ｇ、Ｂ信号がサンプリングホールド（相関二重サンプリング処理）され、増幅された後、Ａ／Ｄ変換器８４に加えられる。Ａ／Ｄ変換器８４によってデジタル信号に変換された点順次のＲ、Ｇ、Ｂ信号は、画像入力コントローラ８６を介してメモリ５８に記憶される。
【００４２】
画像信号処理回路８８は、メモリ５８に記憶されたＲ、Ｇ、Ｂ信号をＣＰＵ５０の指令に従って処理する。すなわち、画像信号処理回路８８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ５０からのコマンドに従ってメモリ５８を活用しながら所定の信号処理を行う。
【００４３】
画像信号処理回路８８に入力されたＲＧＢの画像データは、画像信号処理回路８８において輝度信号及び色差信号に変換されるとともに、ガンマ補正等の所定の処理が施される。画像信号処理回路８８で処理された画像データは記録部６０に記録される。
【００４４】
撮影再生画像を液晶モニタ３０に出力する場合、記録部６０から画像データが読み出され、バス５２を介してビデオエンコーダ９０に送られる。ビデオエンコーダ９０は、入力された画像データを表示用の所定方式の信号（例えば、ＮＴＳＣ方式のカラー複合映像信号）に変換して液晶モニタ３０に出力する。また、撮影時のスルー画像は、画像信号処理回路８８からバス５２及びビデオエンコーダ９０を介して液晶モニタ３０に表示される。
【００４５】
撮影ボタン２０が半押しされ、Ｓ１がオンになると、デジタルカメラ１０はＡＥ及びＡＦ処理を開始する。すなわち、ＣＣＤ７８から出力された画像信号はＡ／Ｄ変換後に画像入力コントローラ８６を介してＡＦ検出回路９２並びにＡＥ／ＡＷＢ検出回路９４に入力される。
【００４６】
ＡＥ／ＡＷＢ検出回路９４は、１画面を複数のエリア（例えば、１６×１６）に分割し、分割エリアごとにＲＧＢ信号を積算する回路を含み、その積算値をＣＰＵ５０に提供する。ＣＰＵ５０は、ＡＥ／ＡＷＢ検出回路９４から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ５０はＣＣＤ７８の電子シャッター及びアイリスを制御して適正な露光量を得る。
【００４７】
また、ＡＥ／ＡＷＢ検出回路９４は、自動ホワイトバランス調整時には、分割エリアごとにＲＧＢ信号の色別の平均積算値を算出し、その算出結果をＣＰＵ５０に提供する。ＣＰＵ５０は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００４８】
デジタルカメラ１０におけるＡＦ制御は、例えば映像信号のＧ信号の高周波成分が極大になるようにフォーカシングレンズ（撮影レンズ７０を構成するレンズ光学系のうちフォーカス調整に寄与する移動レンズ）を移動させるコントラストＡＦが適用される。すなわち、ＡＦ検出回路９２は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４９】
ＡＦ検出回路９２で求めた積算値のデータはＣＰＵ５０に通知される。ＣＰＵ５０は、レンズ駆動部７４を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部７４を制御する。なお、ＡＦ評価値の演算はＧ信号を利用する態様に限らず、輝度信号（Ｙ信号）を利用してもよい。
【００５０】
撮影ボタン２０が半押しされ、Ｓ１オンによってＡＥ／ＡＦ処理が行われ、撮影ボタン２０が全押しされ、Ｓ２オンによって記録用の撮影動作がスタートする。Ｓ２オンに応動して取得された画像データは画像信号処理回路８８において輝度／色差信号（Ｙ／Ｃ信号）に変換され、ガンマ補正等の所定の処理が施された後、メモリ５８に格納される。
【００５１】
メモリ５８に格納されたＹ／Ｃ信号は、圧縮伸張回路９６によって所定のフォーマットに従って圧縮された後、メディアコントローラ６６を介して記録メディア４８に記録される。例えば、静止画についてはＪＰＥＧ形式で記録される。
【００５２】
ところで、実施の形態の光源の保持機構が適用されたＡＦ補助光の発光部１９は、図４に示すように光源であるＬＥＤランプ１００を有し、このＬＥＤランプ１００がポリカーボネイト（ＰＣ）製の略球状のホルダ１０２内に固定されるとともに、このホルダ１０２が図５、図６に示す球面軸受１０４によって回動自在に支持されて構成される。
【００５３】
ＬＥＤランプ１００は、図７に示すようにホルダ１０２に貫通形成された円形孔１０６に挿入されるとともに、円形孔１０６の周面に等間隔で突設された３本の爪部材１０８、１０８、１０８に、その外周部が嵌合されることによってホルダ１０２に固定される。
【００５４】
球面軸受１０４は、図６に示すようにホルダ１０２を挟んで対向配置された一対の支持板１１０、１１２と、これらの支持板１１０、１１２からホルダ１０２に向けて突設された軸受部１１４、１１６とから構成される。
【００５５】
支持板１１０の軸受部１１４は、図６においてホルダ１０２の左側外周面の上部に当接する２本のボス１１８、１２０と下部に当接する１本のボス１２２とから構成されるとともに、支持板１１２の軸受部１１６は、ホルダ１０２の右側外周面の上部に当接する１本のボス１２４と下部に当接する２本のボス１２６、１２８とから構成される。また、これらのボス１１８〜１２８の先端面はホルダ１０２の外周球面に面接触するように曲面状に形成されている。
【００５６】
次に、前記の如く構成された光源の保持機構の作用について説明する。
【００５７】
この光源の保持機構によれば、略球状のホルダ１０２を球面軸受１０４によって回動自在に支持しているため、ホルダ１０２をホルダ１０２の中心で回転させることにより、ＬＥＤランプ１００の位置を様々な方向に傾けて調整することができる。そして、位置決め後には、ボス１１８〜１２８の先端とホルダ１０２の外周球面との境界部に接着剤を塗布してホルダ１０２を球面軸受１０４に固定する。この接着剤の固化前において、ホルダ１０２は、ホルダ１０２と球面軸受１０４との間の摩擦力によりその位置決め位置で保持されるので、ＬＥＤランプ１００の自重やＬＥＤランプ１００に伝わった振動程度でＬＥＤランプ１００の位置がずれることはない。これにより、ＬＥＤランプ１００の位置ずれを防止することができる。
【００５８】
一方、ホルダ１０２は、位置決め調整において外周面の必要な範囲は球状であるが、調整に不要な範囲である上面と下面１０３、１０５はＤカット等を行うことによって削除されている。これにより、ホルダ１０２の小型化が図られるとともにホルダ１０２の省スペース化が図られる。
【００５９】
また、このホルダ１０２を成形する金型のコア側とキャビ側の球の半径を異なる値とし、コア側とキャビ側部分に段差を設けておく。これにより、コア側とキャビ側の軸ずれがわずかに生じたときに発生しやすいバリを防止することが出来る。また、金型修正時に部品を大きくしたい場合は、パーティング部分にスペーサーを入れることで簡単に対応できる。また、部品を小さくする場合も、合わせを気にすることなく小さくできる。また、コア側の球中心とキャビ側の球中心を略同一としておくことで、同じ中心を回転中心としてホルダ１０２が回転する。
【００６０】
更に、図４、図５に示すように、ホルダ１０２のＬＥＤランプ１００を保持する円形孔１０６と、ホルダ１０２の外周面との縁部にＣ面取り（Ｒ面取りでもよい）１３０が形成されている。これにより、ＬＥＤランプ１００から照射された光線は、ホルダ１０２にけられないため、ＬＥＤランプ１００によって広範囲を照射できる。なお、面取りした部分にアルミ蒸着等を施し反射傘を形成することにより、ＬＥＤランプ１００の光線を効率よく集光させることができる。
【００６１】
また、図８に示すように、ＬＥＤランプ１００をホルダ１０２の前部から所定量突出させる構造としても、ＬＥＤランプ１００から照射される光線はホルダ８２によってけられないので、ＬＥＤランプ１００によって広い範囲を照射できる。
【００６２】
図５に示すようにホルダ１０２には、ホルダ１０２を球面軸受１０４に対して手作業にて回動させるための操作部材１３２が一体的に設けられている。この操作部材１３２は、ホルダ１０２の後方に向けて突設され、その先端に形成されたツマミ部１３３をつまんで動かすことにより、球面軸受１０４に係止されている状態のホルダ１０２をホルダ１０２の中心を回転中心として容易に動かすことができる。これにより、特別な治工具を用いることなくＬＥＤランプ１００の位置を調整できる。なお、図５の操作部材１３２は板状であるが、必ずしも板状である必要はなく円筒状でもよい。また、操作部材１３２は直線形状であるが、必ずしも直線形状である必要はない。
【００６３】
また、この光源の保持機構によれば、ホルダ１０２を挟んで配置した一対の支持板１１０、１１２にそれぞれ３本のボス１１８〜１２８を突設し、片側３本のボス（両側６本のボス）１１８〜１２８によってホルダ１０２を一対の支持板１１０、１１２に支持させたので、ホルダ１０２を球面軸受１０４に安定して支持することができる。
【００６４】
更にまた、片側３本のボス１１８〜１２８を上図のように配置することにより上下方向で金型を分割することが可能となる。例えば、左側の支持板１１０のボス１１８、１２０、１２２において、上側に２本のボス１１８、１２０を配置した場合、右側の支持板１１２の上側を１本のボス１２４の配置とする。これにより、更に安定して球状ホルダ１０２を保持することができる。
【００６５】
更に、ホルダ１０２の半径に合わせてホルダ係止用のボス１１８〜１２８の高さを変更しておくことにより、球状のホルダ１０２を確実に係止することができる。
【図面の簡単な説明】
【００６６】
【図１】実施の形態の光源の保持機構が適用されたデジタルカメラの正面斜視図
【図２】図１に示したデジタルカメラの背面斜視図
【図３】図１に示したデジタルカメラの構成を示すブロック図
【図４】ＡＦ補助光のＬＥＤランプがホルダに固定された斜視図
【図５】図４に示したホルダが球面軸受に保持された斜視図
【図６】図５に示した球面軸受を上面から見た斜視図
【図７】図５に示した光源の保持機構の正面図
【図８】ホルダの前部からＬＥＤランプを突出配置した上面図
【符号の説明】
【００６７】
１０…デジタルカメラ、１９…ＡＦ補助光の発光部、２０…撮影ボタン、５０…ＣＰＵ、１００…ＬＥＤランプ、１０２…ホルダ、１０４…球面軸受、１０６…円形孔、１０８…爪部材、１１０、１１２…支持板、１１４、１１６…軸受部、１１８、１２０、１２２、１２４、１２６、１２８…ボス
【図１】
2007249058.tif 000003
【図２】
2007249058.tif 000004
【図３】
2007249058.tif 000005
【図４】
2007249058.tif 000006
【図５】
2007249058.tif 000007
【図６】
2007249058.tif 000008
【図７】
2007249058.tif 000009
【図８】
2007249058.tif 000010